(57)【要約】【課題】ＶｏＩＰを用いた音声通信を行うＩＰ網において、呼制御サーバとルータとが連携して輻輳制御を行うことにより、ルータ及び呼制御サーバの負荷を低減する。【解決手段】ＰＳＴＮ網１０１とＩＰ網１０２とがＭＧ１１３により接続される音声通信ネットワークの下で、ＶｏＩＰを用いて音声通信を実現するＩＰ網２を構成する。ＣＡ（ＳＳ）１１２は、転送系システムの輻輳を検出し、「ＣＡ（ＳＳ）→ルータ規制要求信号」をルータ１２１〜１２４へ送信する。ルータ１２１〜１２４は、「ＣＡ（ＳＳ）→ルータ規制要求信号」を受信し、当該信号に基づいて輻輳規制の設定を実施し、パケットの転送規制を実施する。【選択図】図３
2005311596.tif 000002
【特許請求の範囲】
【請求項１】
音声通信を確立するための呼制御を行う呼制御サーバと、ルータ及びスイッチを含む転送系システムとにより、ＶｏＩＰを用いて音声情報を転送するＩＰ網において、
輻輳を検出した呼制御サーバから輻輳制御信号を受信する受信手段と、当該輻輳制御信号に基づいて輻輳規制を設定する設定手段と、当該設定された輻輳規制により、受信するパケットに対して転送を規制する規制手段とを有することを特徴とするルータ。
【請求項２】
請求項１に記載のルータにおいて、
前記輻輳制御信号を、異なる輻輳規制が設定される複数種類の信号とし、
前記設定手段は、輻輳制御信号の種類に応じてそれぞれ異なる輻輳規制を設定することを特徴とするルータ。
【請求項３】
請求項２に記載のルータにおいて、
前記設定手段が設定する輻輳規制は、前記呼制御サーバにルーチングされる接続のうちの全部の接続の規制、一部の接続の規制、特定の対地以外の対地への接続の規制、及び特定の発信元以外の発信元からの接続の規制のうちの少なくとも一つの規制を含むことを特徴とするルータ。
【請求項４】
請求項１から３までのいずれか一項に記載のルータにおいて、
前記設定手段は、予め輻輳規制を定義して用意した設定パターンを用いて、輻輳規制を設定することを特徴とするルータ。
【請求項５】
請求項１から４までのいずれか一項に記載のルータにおいて、
前記設定手段は、輻輳制御信号に基づいて輻輳規制を設定し、さらに、予め用意した条件に従って、前記輻輳規制のうちの全部または一部を新たな輻輳規制として設定し、
前記規制手段は、当該設定された新たな輻輳規制により、受信するパケットに対して転送を規制することを特徴とするルータ。
【請求項６】
音声通信を確立するための呼制御を行う呼制御サーバと、ルータ及びスイッチを含む転送系システムとにより、ＶｏＩＰを用いて音声情報を転送するＩＰ網において、
請求項１から５までのいずれか一項に記載のルータ、
及び、前記転送系システムの輻輳を検出する検出手段と、前記輻輳制御信号をルータへ送信する送信手段とを有する呼制御サーバを備えたことを特徴とする輻輳制御システム。
【請求項７】
音声通信を確立するための呼制御を行う呼制御サーバと、ルータ及びスイッチを含む転送系システムとにより、ＶｏＩＰを用いて音声情報を転送するＩＰ網において、
さらに、請求項６に記載のルータが有する受信手段、設定手段、規制手段、及び前記呼制御サーバが有する検出手段並びに送信手段のうちの全部または一部の手段を有する制御サーバを備え、
当該制御サーバは、ルータ及び／または呼制御サーバに代えて、前記手段を実現することを特徴とする輻輳制御システム。
【請求項８】
音声通信を確立するための呼制御を行う呼制御サーバと、ルータ及びスイッチを含む転送系システムとにより、ＶｏＩＰを用いて音声情報を転送するＩＰ網において、
輻輳を検出した呼制御サーバからルータへ輻輳制御信号を送信するステップと、ルータが当該輻輳制御信号に基づいて輻輳規制を設定するステップと、当該設定された輻輳規制により、受信するパケットに対して転送を規制するステップとを有することを特徴とする輻輳制御方法。
【請求項９】
請求項８に記載の輻輳制御方法において、
前記呼制御サーバからルータへ送信される輻輳制御信号を、異なる輻輳規制が設定される複数種類の信号とし、
前記輻輳規制を設定するステップを、輻輳制御信号の種類に応じてそれぞれ異なる輻輳規制を設定するステップとすることを特徴とする輻輳制御方法。
【請求項１０】
請求項９に記載の輻輳制御方法において、
前記ルータが設定する輻輳規制は、前記呼制御サーバにルーチングされる接続のうちの全部の接続の規制、一部の接続の規制、特定の対地以外の対地への接続の規制、及び特定の発信元以外の発信元からのパケットによる接続の規制のうちの少なくとも一つの規制を含むことを特徴とする輻輳制御方法。
【請求項１１】
請求項８から１０までのいずれか一項に記載の輻輳制御方法において、
前記輻輳規制を設定するステップを、予め輻輳規制を定義して用意した設定パターンを用いて輻輳規制を設定するステップとすることを特徴とする輻輳制御方法。
【請求項１２】
請求項８から１１までのいずれか一項に記載の輻輳制御方法において、
前記輻輳規制を設定するステップを、輻輳制御信号に基づいて輻輳規制を設定し、さらに、予め用意した条件に従って、前記輻輳規制のうちの全部または一部を新たな輻輳規制として設定するステップとし、
前記転送を規制するステップを、前記新たな輻輳規制により、受信するパケットに対して転送を規制するステップとすることを特徴とする輻輳制御方法。
【発明の詳細な説明】
【技術分野】
【０００１】
本発明は、ＩＰ（Ｉｎｔｅｒｎｅｔ  Ｐｒｏｔｏｃｏｌ）電話網におけるネットワーク輻輳防止技術に関し、特に、サーバとルータとが連携して実現する輻輳制御の技術に関するものである。
【背景技術】
【０００２】
従来、インターネット等のＩＰ網と公衆電話交換網であるＰＳＴＮ（Ｐｕｂｌｉｃ  Ｓｗｉｔｃｈｅｄ  Ｔｅｌｅｐｈｏｎｅ  Ｎｅｔｗｏｒｋ）網とを接続し、音声データをＩＰパケットとして送受信することにより音声通信を可能にしたネットワークが利用されている。図１は、一般的な音声通信ネットワークを示すシステム構成図である。この音声通信ネットワークは、ＰＳＴＮ網１及びＩＰ網２により構成される。ＩＰ網２は、ＰＳＴＮ網１とＩＰ網２とを接続するＭＧ（Ｍｅｄｉａ  Ｇａｔｅｗａｙ／メディアゲートウェイ）１３、ＣＡ（Ｃａｌｌ  Ａｇｅｎｔ／コールエージェント）のゲートウェイサーバであるＣＡ（ＧＷ）１１、ＣＡのＳＩＰ（Ｓｅｓｓｉｏｎ  Ｉｎｉｔｉａｔｉｏｎ  Ｐｒｏｔｏｃｏｌ）サーバであるＣＡ（ＳＳ）１２、及びＩＰパケットを中継するルータ２１〜２４を備えている。また、ＩＰ網２のルータ２４には、ＨＧＷ（Ｈｏｍｅ  Ｇａｔｅｗａｙ／ホームゲートウェイ）３１を介して電話機４１、及びＶｏＩＰ（Ｖｏｉｃｅ  ｏｖｅｒ  ＩＰ）−ＴＡ（Ｔｅｒｍｉｎａｌ  Ａｄａｐｔｅｒ）３２を介して電話機４２がそれぞれ接続される。
【０００３】
ＩＰ網２のＣＡ（ＧＷ）１１及びＣＡ（ＳＳ）１２は、ＰＳＴＮ網１に接続された図示しない電話機やＩＰ網に接続された電話機４１，４２からの要求に従った呼制御により、電話番号の翻訳やルーチング設定等を行う。また、ＣＡ（ＧＷ）１１は、自網であるＩＰ網２と他網であるＰＳＴＮ網１との間でＩＳＵＰ（ＩＳＤＮ  Ｕｓｅｒ  Ｐａｒｔ）信号をインターワークする。ここで使用される呼制御プロトコルは、ＩＴＵ−Ｔ勧告Ｈ．３２３、ＭＥＧＡＣＯ（Ｍｅｄｉａ  Ｇａｔｅｗａｙ  Ｃｏｎｔｒｏｌ  Ｐｒｏｔｏｃｏｌ）、ＳＩＰ等である。
【０００４】
ＩＰ網２のルータ２１〜２４は、ＩＰアドレス、ラベルまたはテーブルに従ってＩＰパケットの交換を行う転送系システムであり、ＣＡ（ＳＳ）１２等と共に音声情報を転送するＩＰ網２を構成する。ここで使用されるルーチングプロトコルは、ＲＩＰ（Ｒｏｕｔｉｎｇ  Ｉｎｆｏｒｍａｔｉｏｎ  Ｐｒｏｔｏｃｏｌ）、ＯＳＰＦ（Ｏｐｅｎ  Ｓｈｏｒｔｅｓｔ  Ｐａｔｈ  Ｆｉｒｓｔ）、ＭＰＬＳ（Ｍｕｌｔｉｐｒｏｔｏｃｏｌ  Ｌａｂｅｌ  Ｓｗｉｃｈｉｎｇ）等である。
【０００５】
このような音声通信ネットワークにおいて、ＣＡ（ＳＳ）１２は、以下に示す輻輳制御を実施している。以下、図２を参照して説明する。
１）ＣＡ（ＳＳ）１２内で自装置におけるＣＣ使用率（システムにおけるプロセッサの使用率）、全体の呼量（ｃａｌｌ／ｓｅｃ）、及び入力キューの各種トラヒック測定パラメータを常時監視するための設定を実施する。
２）前記それぞれの測定パラメータの値と予め設定された閾値とを比較し、測定値が閾値を超えた場合には、一定の規制率により新規呼の受付を規制する。規制にあたっては、様々な呼処理の信号をＣＡ（ＳＳ）１２に一旦取り込み、発側の電番や着側の電番から優先度を判断する。そして、優先度の高い呼に対してのみ接続を行ったり、ＩＮＶＩＴＥメッセージ、ＩＡＭメッセージ等の接続要求信号のうちのＸ％の信号に対してのみ接続を行ったりして、その他の接続要求呼は破棄する。
３）接続要求呼の破棄はＣＡ（ＳＳ）１２内で行われるが、ＩＰ網２全体で輻輳制御が行われないため、接続要求信号は、ＣＡ（ＳＳ）１２まで到達し続ける。
【０００６】
一方、複数の電話網と複数のパスから構成されるＩＰ網とが接続されるＶｏＩＰネットワークにおいて、効率的な輻輳制御を行う技術が開示されている。具体的には、電話網からＩＰ網へ流入するトラフィックデータ信号からゲートウェイ間のトラフィック分布を蓄積し、ＩＰ網内の各パスのパケット流量データからパスの輻輳状態を判定する。そして、輻輳状態にあるパスについてトラフィック発生源となる電話網を制御し、ＩＰ網へ流入するトラフィックを抑止するものである。この場合、電話網内に輻輳規制装置及びトラフィック収集装置、ＩＰ網内にパケット流量測定装置、及び輻輳管理装置がそれぞれ必要になる。
【０００７】
【特許文献１】特開２００２−２６１９２５号公報（請求項１）
【発明の開示】
【発明が解決しようとする課題】
【０００８】
このように、図２に示した従来のＣＡ（ＳＳ）１２における輻輳制御方法では、ＣＡ（ＳＳ）１２は単独に輻輳制御を行っており、ルータ２１〜２４と連携した輻輳制御は行っていない。つまり、ＣＡ（ＳＳ）１２は、受信したＩＰパケットを内部において規制しているにすぎないため、ＣＡ（ＳＳ）１２の入力ポートには、接続要求呼を始めとする多数のＩＰパケットが到着することになる。また、ルータ２１〜２４においても単独に輻輳制御が行われているものの、一般に、ルータ２１〜２４の容量の方がＣＡ（ＳＳ）１２の容量よりも大きいため、ＣＡ（ＳＳ）１２は、ルータ２１〜２４の処理能力が限界になるまで負荷がかかり続け、ＣＡ（ＳＳ）１２における輻輳が長期化することになる。このため、ＣＡ（ＳＳ）１２には処理不能で無効なＩＰパケットが継続的に送信され、ＣＡ（ＳＳ）１２は、そのＩＰパケットを廃棄しても送信元からの再送信等により負荷がかかる状態が継続してしまう。従って、ＩＰ網２にはこのような多数の無効なＩＰパケットが転送されるため、ＣＡ（ＳＳ）１２のみならずルータ２１〜２４においても処理能力を無駄に消費しているという問題があり、ＩＰ網２のネットワーク全体で輻輳制御を行うことが要望されていた。また、上述の特許文献１の技術では、輻輳制御を実現するために複数の装置が別途必要になり、構成が複雑になってしまう。このため、複数の装置を必要としない簡易な構成とすることが望ましい。
【０００９】
そこで、本発明は上記の課題を解決するためになされたものであり、その目的は、呼制御サーバとルータとが連携して輻輳制御を行うことにより、呼制御サーバ及びルータの負荷を低減可能なルータ、輻輳制御システム及び方法を提供することにある。
【課題を解決するための手段】
【００１０】
本発明のルータは、音声通信を確立するための呼制御を行う呼制御サーバと、ルータ及びスイッチを含む転送系システムとにより、ＶｏＩＰを用いて音声情報を転送するＩＰ網において、輻輳を検出した呼制御サーバから輻輳制御信号を受信する受信手段と、当該輻輳制御信号に基づいて輻輳規制を設定する設定手段と、当該設定された輻輳規制により、受信するパケットに対して転送を規制する規制手段とを有することを特徴とする。
【００１１】
また、本発明のルータは、前記輻輳制御信号を、異なる輻輳規制が設定される複数種類の信号とし、前記設定手段が、輻輳制御信号の種類に応じてそれぞれ異なる輻輳規制を設定することを特徴とする。また、前記設定手段が設定する輻輳規制が前記呼制御サーバにルーチングされる接続のうちの全部の接続の規制、一部の接続の規制、特定の対地以外の対地への接続の規制、及び特定の発信元以外の発信元からの接続の規制のうちの少なくとも一つの規制を含むことを特徴とする。
【００１２】
また、本発明のルータは、前記設定手段が、予め輻輳規制を定義して用意した設定パターンを用いて輻輳規制を設定することを特徴とする。また、前記設定手段が輻輳制御信号に基づいて輻輳規制を設定し、さらに、予め用意した条件に従って、前記輻輳規制のうちの全部または一部を新たな輻輳規制として設定し、前記規制手段が当該設定された新たな輻輳規制により、受信するパケットに対して転送を規制することを特徴とする。
【００１３】
本発明の輻輳制御システムは、音声通信を確立するための呼制御を行う呼制御サーバと、ルータ及びスイッチを含む転送系システムとにより、ＶｏＩＰを用いて音声情報を転送するＩＰ網において、前記ルータ、及び前記転送系システムの輻輳を検出する検出手段と、前記輻輳制御信号をルータへ送信する送信手段とを有する呼制御サーバを備えたことを特徴とする。また、前記ルータが有する受信手段、設定手段、規制手段、及び前記呼制御サーバが有する検出手段並びに送信手段のうちの全部または一部の手段を有する制御サーバを備え、当該制御サーバが、ルータ及び／または呼制御サーバに代えて、前記手段を実現することを特徴とする。
【００１４】
本発明の輻輳制御方法は、音声通信を確立するための呼制御を行う呼制御サーバと、ルータ及びスイッチを含む転送系システムとにより、ＶｏＩＰを用いて音声情報を転送するＩＰ網において、輻輳を検出した呼制御サーバからルータへ輻輳制御信号を送信するステップと、ルータが当該輻輳制御信号に基づいて輻輳規制を設定するステップと、当該設定された輻輳規制により、受信するパケットに対して転送を規制するステップとを有することを特徴とする。
【００１５】
また、本発明の輻輳制御方法は、前記呼制御サーバからルータへ送信される輻輳制御信号を、異なる輻輳規制が設定される複数種類の信号とし、前記輻輳規制を設定するステップを、輻輳制御信号の種類に応じてそれぞれ異なる輻輳規制を設定するステップとすることを特徴とする。また、前記ルータが設定する輻輳規制は、前記呼制御サーバにルーチングされる接続のうちの全部の接続の規制、一部の接続の規制、特定の対地以外の対地への接続の規制、及び特定の発信元以外の発信元からのパケットによる接続の規制のうちの少なくとも一つの規制を含むことを特徴とする。
【００１６】
また、本発明の輻輳制御方法は、前記輻輳規制を設定するステップを、予め輻輳規制を定義して用意した設定パターンを用いて輻輳規制を設定するステップとすることを特徴とする。また、前記輻輳規制を設定するステップを、輻輳制御信号に基づいて輻輳規制を設定し、さらに、予め用意した条件に従って、前記輻輳規制のうちの全部または一部を新たな輻輳規制として設定するステップとし、前記転送を規制するステップを、前記新たな輻輳規制により、受信するパケットに対して転送を規制するステップとすることを特徴とする。
【発明の効果】
【００１７】
以上のように、本発明によれば、呼制御サーバが輻輳を検出した場合に、呼制御サーバからルータへ輻輳制御信号を送信し、ルータが輻輳規制を設定し、受信するパケットに対して転送を規制するようにした。このように、呼制御サーバとルータとが連携してＩＰ網全体で輻輳制御を行うようにしたから、ＩＰ網内には無効なＩＰパケットが転送されることがなく、ルータよりも容量の小さい呼制御サーバへ多数のＩＰパケットが転送されることもない。従って、ルータ及び呼制御サーバの負荷を低減し、音声通信を効率良く実現することが可能となる。
【発明を実施するための最良の形態】
【００１８】
以下、本発明の実施の形態について図面により詳細に説明する。
図３は、ＣＡ（ＳＳ）が輻輳を検出し、ルータが輻輳を規制する場合における本発明の概要を説明する図である。音声通信ネットワークは、ＰＳＴＮ網１０１及びＩＰ網１０２により構成される。ＩＰ網１０２は、ＰＳＴＮ網１０１とＩＰ網１０２とを接続するＭＧ１１３、ＣＡ（ＧＷ）１１１、ＣＡ（ＳＳ）１１２、及びルータ１２１〜１２４を備えている。また、ＩＰ網１０２のルータ１２４には、ＨＧＷ１３１を介して電話機１４１、及びＶｏＩＰ−ＴＡ１３２を介して電話機１４２がそれぞれ接続される。ＰＳＴＮ網１０１、ＭＧ１１３、ＨＧＷ１３１、ＶｏＩＰ−ＴＡ１３２及び電話機１４１，１４２は、図１に示したＰＳＴＮ網１、ＭＧ１３、ＨＧＷ３１、ＶｏＩＰ−ＴＡ３２及び電話機４１，４２とそれぞれ同じ機能を有する。
【００１９】
本実施の形態は、ＣＡ（ＳＳ）１１２が、輻輳を検出して「ＣＡ（ＳＳ）→ルータ規制要求信号」をルータ１２１〜１２４へ送信し、ルータ１２１〜１２４が、「ＣＡ（ＳＳ）→ルータ規制要求信号」に基づいて輻輳規制の設定を実施し、パケットの転送規制を実施するものである。
【００２０】
以下、ＣＡ（ＳＳ）１１２及びルータ１２１〜１２４の処理について、それぞれ詳細に説明する。
〔輻輳規制要求処理〕
ＣＡ（ＳＳ）１１２は、自装置内において、各種トラヒックや負荷状況（例えば、ＣＣ使用率（システムにおけるプロセッサの使用率））等の測定パラメータを常時監視し、それぞれ監視中の測定パラメータと閾値とを比較する。測定パラメータの値が閾値を超えた場合には、輻輳が発生したものとして、輻輳制御コマンドである「ＣＡ（ＳＳ）→ルータ規制要求信号」をルータ１２１〜１２４へ送出する。送出する信号は、以下に示す４通りである。
Ａ．ＣＡ（ＳＳ）１１２にルーチングされる全ての接続を規制する要求信号（１）。
Ｂ．ＣＡ（ＳＳ）１１２にルーチングされるＸ％のみの転送を許可するように規制する要求信号（２）。
Ｃ．特定の対地（宛先ＩＰアドレス、ポート等）のみへの転送を許可するように規制する要求信号（３）。
Ｄ．特定の発信元（発ＩＰアドレス、ポート等）のみからの転送を許可するように規制する要求信号（４）。
【００２１】
ルータ１２１〜１２４は、ＣＡ（ＳＳ）１１２から送出された「ＣＡ（ＳＳ）→ルータ規制要求信号」を受信すると、輻輳制御の設定を実施し、パケットを受信した場合にパケットの転送規制を実施する。図４は、「ＣＡ（ＳＳ）→ルータ規制要求信号」を説明する図である。ルータ１２１〜１２４は、ＩＰパケットの転送を行うＩＰインタフェースに対して、アクセスリスト（ＩＰアドレスとの間で入出力の物理的な接続関係を設定するリスト）を以下に示すように設定する。
Ａ．要求信号（１）を受信した後の動作
ＩＰインタフェースに対して、ＣＡ（ＳＳ）１１２にルーチングする全てのアクセスリストの設定を一時的に削除する。
Ｂ．要求信号（２）を受信した後の動作
ルータ１２１〜１２４が有するアドレステーブルのエントリのうちの任意のＸ％のエントリについてＩＰパケットが通過可能となるように、そのＸ％以外のエントリをアドレステーブルから削除する。
Ｃ．要求信号（３）を受信した後の動作
ＩＰインタフェースに対して、特定の対地（宛先ＩＰアドレス、ポート等）のみへの転送となるように、アクセスリストから接続情報を一時的に削除する。
Ｄ．要求信号（４）を受信した後の動作
ＩＰインタフェースに対して、特定の発信元（発ＩＰアドレス、ポート等）のみからの転送となるように、アクセスリストから接続情報を一時的に削除する。
【００２２】
このように、ルータ１２１〜１２４は、ＣＡ（ＳＳ）１１２から送出された「ＣＡ（ＳＳ）→ルータ規制要求信号」を受信し、上述のように輻輳制御の設定を実施して完了した後、直ちにまたは予め設定した時間経過後に、受信したパケットに対して転送規制を実施する。
【００２３】
また、ルータ１２１〜１２４は、前述の「ＣＡ（ＳＳ）→ルータ規制要求信号」に対して、輻輳制御の設定を実施し完了した時点、または転送規制の処理を実施した時点等の任意に設定したタイミングで、「ルータ規制設定完了信号」をＣＡ（ＳＳ）１１２へ送出する。
【００２４】
〔輻輳規制解除処理〕
ＣＡ（ＳＳ）１１２は、測定パラメータの値が閾値以下になった場合には、輻輳が無くなったものとして、規制解除要求である「ＣＡ（ＳＳ）→ルータ規制解除要求信号」をルータ１２１〜１２４へ送出する。ルータ１２１〜１２４は、ＣＡ（ＳＳ）１１２から送出された「ＣＡ（ＳＳ）→ルータ規制解除要求信号」を受信すると、前述の輻輳制御の設定を解除し、パケットを受信した場合の転送規制を実施しない。ルータ１２１〜１２４は、輻輳制御の設定を解除したタイミングで、「ルータ規制解除完了信号」をＣＡ（ＳＳ）１１２へ送出する。
【００２５】
以上のように、本発明の実施の形態によれば、ＣＡ（ＳＳ）１１２と、ルータ１２１〜１２４やスイッチ（図示せず）等による転送系システムとを使用する音声通信ネットワークにおいて、ＣＡ（ＳＳ）１１２が輻輳を検出した場合には、ルータ１２１〜１２４が、受信したパケットに対して輻輳規制を実施するようにした。これにより、個々のサーバやルータで処理能力を超えないように輻輳制御を行う従来技術とは異なり、ＩＰ網２全体で輻輳制御を行うから、ＩＰ網２内に無効なＩＰパケットが転送されることがなく、ＣＡ（ＳＳ）１１２及びルータ１２１〜１２４の負荷を軽減することができる。従って、ＩＰ網２全体としてＩＰ電話による音声通信を適切に実現することができる。
【００２６】
以上、実施の形態を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【００２７】
上記実施の形態では、ＣＡ（ＳＳ）１１２が、測定パラメータの値が閾値を超えた場合に「ＣＡ（ＳＳ）→ルータ規制要求信号」を送出するようにしたが、前述の４つの要求信号のうちの１つの要求信号を送出するようにしてもよいし、２以上の要求信号を送出するようにしてもよい。また、特定の測定パラメータが閾値を超えた場合にのみ１つの要求信号を送出するようにしてもよいし、予め測定パラメータ毎に要求信号を割り当てておき、測定パラメータ毎に要求信号を送出するようにしてもよい。また、前記「ＣＡ（ＳＳ）→ルータ規制要求信号」は４つの要求信号に限定されるものではなく、要求信号に基づいて輻輳規制が設定される限り、その種類（数）の制限はない。
【００２８】
また、上記実施の形態では、ＣＡ（ＳＳ）１１２が輻輳を検出するようにしたが、ＰＳＴＮ網１とＩＰ網２との間で相互接続を行っているＣＡ（ＧＷ）１１１またはＭＧ１１３が輻輳を検出し、輻輳制御信号をルータへ送出するようにしてもよい。
【００２９】
また、上記実施の形態では、ルータ１２１〜１２４が、ＣＡ（ＳＳ）１１２から「ＣＡ（ＳＳ）→ルータ規制要求信号」を受信することによってアクセスリスト等を変更し輻輳規制の設定を行うようにしたが、いくつかの異なるアクセスリストやＦＥＣ（Ｆｏｒｗａｒｄｉｎｇ  Ｅｑｕｉｖａｌｅｎｃｅ  Ｃｌａｓｓｅｓ）ＭＡＰについて輻輳規制の設定パターンが固定的に決まっている場合や、ルータ１２１〜１２４において「ＣＡ（ＳＳ）→ルータ規制要求信号」を受信する毎のアクセスリスト変更やＦＥＣ  ＭＡＰ変更のための処理能力が足りない場合には、「ＣＡ（ＳＳ）→ルータ規制要求信号」を受信する毎に設定変更するのではなく、予め設定パターンを作成しておき、「ＣＡ（ＳＳ）→ルータ規制要求信号」を受信したときに、予め作成しておいた設定パターンに差し替えるようにしてもよい。
【００３０】
また、上記実施の形態では、輻輳制御信号である「ＣＡ（ＳＳ）→ルータ規制要求信号」を４つの信号としたが、必ずしも全ての信号を用いる必要はなく、そのうちの１つまたは一部の信号を用いるようにしてもよい。
【００３１】
また、上記実施の形態では、ルータ１２１〜１２４が、ＣＡ（ＳＳ）１１２から送出された「ＣＡ（ＳＳ）→ルータ規制要求信号」の種類に基づいて輻輳制御を実施するようにしたが、予め用意した自己の設定条件に従って、要求される輻輳制御のうちの全部または一部に限定して実施するようにしてもよい。例えば、要求信号（１）を受信した場合には、ＩＰインタフェースに対して、ＣＡ（ＳＳ）１１２にルーチングする全てのアクセスリストの設定を一時的に削除するが、さらに、特定の転送のみを許容する等の予め用意した設定条件を加えて、アクセスリストを設定するようにしてもよい。また、複数の要求信号を受信した場合においても、どの要求信号を優先するかまたはどのように要求信号を組み合せるか等が定義された設定条件に従って、アクセスリストを設定するようにしてもよい。
【００３２】
また、上記実施の形態では、ＣＡ（ＳＳ）１１２が、輻輳を検出して輻輳制御信号をルータ１２１〜１２４へ送信し、ルータ１２１〜１２４が、輻輳制御信号を受信して当該信号に基づいて輻輳規制の設定を実施し、パケットの転送規制を実施するようにしたが、これらの全部の機能または一部の機能を他の制御サーバが実現するようにしてもよい。例えば、ＣＡ（ＳＳ）１１２が輻輳を検出し、制御サーバが輻輳制御信号をルータ１２１〜１２４へ送信するようにしてもよい。また、ルータ１２１〜１２４の代わりに、制御サーバが輻輳規制の設定を実施するようにしてもよい。
【００３３】
また、上記実施の形態では、ルータ１２１〜１２４が、輻輳制御の設定を実施し完了したタイミング等で「ルータ規制設定完了信号」をＣＡ（ＳＳ）１１２へ送出し、ルータ１２１〜１２４が、輻輳制御の設定を解除したタイミングで、「ルータ規制解除完了信号」をＣＡ（ＳＳ）１１２へ送出するようにした。この場合、ＣＡ（ＳＳ）１１２及びルータ１２１〜１２４において信号の送受信の信頼性が十分に高いときには、前記完了信号を送出しなくてもよい。
【００３４】
尚、上記のルータ１２１〜１２４、ＣＡ（ＳＳ）１１２、ＣＡ（ＧＷ）１１１及びＭＧ１１３は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータ装置によってそれぞれ構成されるようにしてもよい。この場合、ルータ１２１〜１２４、ＣＡ（ＳＳ）１１２、ＣＡ（ＧＷ）１１１及びＭＧ１１３における各機能は、当該機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００３５】
【図１】背景技術としての音声通信ネットワークを示すシステム構成図である。
【図２】従来のＣＡ（ＳＳ）における輻輳制御方法を説明する図である。
【図３】本発明の概要を説明する図である。
【図４】「ＣＡ（ＳＳ）→ルータ規制要求信号」を説明する図である。
【符号の説明】
【００３６】
１，１０１  ＰＳＴＮ網
２，１０２  ＩＰ網
１１，１１１  ＣＡ（ＧＷ）
１２，１１２  ＣＡ（ＳＳ）
１３，１１３  ＭＧ
２１〜２４，１２１〜１２４  ルータ
３１，１３１  ＨＧＷ
３２，１３２  ＶｏＩＰ−ＴＡ
４１，４２，１４１，１４２  電話機
【図１】
2005311596.tif 000003
【図２】
2005311596.tif 000004
【図３】
2005311596.tif 000005
【図４】
2005311596.tif 000006